(57)【要約】      （修正有）【課題】子供でも簡単に組み立てられる可搬性の簡易コンロを提供すること。【解決手段】一端に第１の係合又は係止部を、他端に第２の係合又は係止部を有し、且つ、それ自体が難燃性紙材あるいは難燃処理された紙材からなされる帯紙、あるいはアルミ板材からなり、この帯紙あるいはアルミ板材の第１の係合又は係止部を第２の係合又は係止部に係合又は係止して丸形コンロを形成し、固形燃料によってアルミ鍋等に収納されている食材を加熱調理する簡易コンロ。【選択図】図１
0003107505.tif 000002
【実用新案登録請求の範囲】
【請求項１】
一端に第１の係合又は係止部を、他端に第２の係合又は係止部を有し、且つ、それ自体が難燃性紙材あるいは難燃処理された紙材からなされる帯紙からなり、この帯紙の前記１の係合又は係止部を第２の係合又は係止部に係合又は係止して丸形コンロを形成し、固形燃料によってアルミ鍋等に収納されている食材を加熱調理する簡易コンロ。
【請求項２】
一端に第１の係合又は係止部を、他端に第２の係合又は係止部を、更に中間部には切り込みによる一対の燃料支持片を有し、且つ、それ自体が難燃性紙材あるいは難燃処理された紙材からなされる帯紙からなり、この帯紙の前記１の係合又は係止部を第２の係合又は係止部に係合又は係止して丸形コンロを形成し、且つ、前記燃料支持片を内側に略直角に折り曲げて燃料支持台とし、この燃料支持体に載せた固形燃料によってアルミ鍋等に収納されている食材を加熱調理する簡易コンロ。
【請求項３】
一端に第１の係合又は係止部を、他端に第２の係合又は係止部を有し、且つ、それ自体が難燃材である凸凹のないアルミ薄板あるいは補強のための多数の押し出し部分を有するアルミ薄板からなり、このアルミ薄板の前記１の係合又は係止部を第２の係合又は係止部に係合又は係止して丸形コンロを形成し、固形燃料によってアルミ鍋等に収納されている食材を加熱調理する簡易コンロ。
【考案の詳細な説明】
【技術分野】
【０００１】
本考案は、固形燃料を用いる携帯に便利な紙製あるいはアルミ製の簡易コンロに関するものである。
【背景技術】
【０００２】
最近の食文化の発達は目覚しく、特にレトルトやコンビニに代表される出来合い商品の発達には目を見張るものがある。
【０００３】
コンビニにはアルミ鍋に入れられたうどんや鍋焼きに代表される出来合いの料理が売られており、これを家庭のレンジで加熱調理して食することが日常的に行われている。
【０００４】
家庭には台所があり加熱調理することは容易で便利であるが、屋外では加熱調理器具を持参し準備しなければならないことから、出来合いの鍋料理を所望する需要者が多い割には利用されていないのが実情である。
【０００５】
このような課題に対処してピクニック等屋外でも容易に加熱調理できる簡易コンロの提供が望まれている。
【０００６】
この課題を解決するものとして従来実開昭６１−１７８３７３号公報記載の簡易加熱装置付調理済鍋物セットの考案が提案されている。
【０００７】
この公報に記載された考案は、一端に孔４１を他端にこの孔に係合する突起４２を形成した４枚のアルミ板を組み合わせてコンロとするものである。
【０００８】
このコンロは組み立て式であることから可搬性でありピクニックや屋外での使用に適してはいるものの、４枚の板を組み合わせなければならず簡単に組み立てることができない課題を有している。
【考案の開示】
【考案が解決しようとする課題】
【０００９】
前記背景技術の問題点を解決し、１枚の紙板材あるいはアルミ板材の端部同士を係合あるいは係止することで簡単に組み立てられる可搬性の良い簡易コンロを提供することを主たる目的としている。
【００１０】
又、不燃性あるいは難燃性の紙板材を用いることで使用後現地で簡単に焼却処理ができ、環境にもやさしい簡易コンロを提供することを他の目的としている。
【課題を解決するための手段】
【００１１】
本考案の前記主あるいは他の目的は、一端に第１の係合又は係止部を、他端に第２の係合又は係止部を有し、且つ、それ自体が難燃性紙材あるいは難燃処理された紙材からなされる帯紙、あるいはアルミ材からなり、この帯紙あるいはアルミ材の前記１の係合又は係止部を第２の係合又は係止部に係合又は係止して丸形コンロを形成し、固形燃料によってアルミ鍋等に収納されている食材を加熱調理するように構成することによって達成される。
【考案の効果】
【００１２】
本考案は、１枚の紙板材あるいはアルミ板材の端部同士を係合あるいは係止することで子供でも簡単に組み立てられる可搬性の良い簡易コンロを提供することができる。
【００１３】
又、不燃性あるいは難燃性の紙板材を用いることで使用後現地で簡単に焼却処理をすることができ、環境にもやさしい簡易コンロを提供することができる。
【考案を実施するための最良の形態】
【００１４】
以下、図に基づいて本考案の一実施例を説明する。
【００１５】
図１はコンロを構成する帯紙材の展開図、図２はこの紙帯材を丸めてコンロを構成した状態の斜視図、図３はその断面図、図４はコンロにアルミ鍋を載せた状態の斜視図を示すものである。
【００１６】
図において、１は帯紙材で厚手の紙材で構成されている。この帯紙材１は図２のように丸められてコンロになる。帯紙材１の大きさは長さが約５０ｃｍで高さが約１０ｃｍである。
【００１７】
高さは適当でいいが長さは丸めたときに径がアルミ鍋の径の１３ｃｍから１５ｃｍになる長さにされている。
【００１８】
又、この帯紙材１はコンロとして使用されるものであるから難燃処理が施されている。
【００１９】
難燃処理は、紙に、珪素化合物を含む弱酸あるいは弱アルカリの金属塩水溶液に燐酸及びシランカップリング剤を加えて混合水溶液とし、この混合水溶液にポリフェノール系化合物を主成分とする植物抽出物を加えた不燃処理液によって処理される。
【００２０】
この処理によって固形燃料にて加熱調理するのに充分耐えうる帯紙材１が得られる。具体的には固形燃料で１５分程度では燃焼しない帯紙材１とされている。
【００２１】
簡便なものとして珪酸カリューム溶液に湿潤して乾燥したものとしても１５分間の調理に耐えるものであれば充分に使用できるものである。
【００２２】
図において、２は二つの燃料支持片でＵ字形の切り込み２１と点線で示す折り曲げ部２２で構成される。この折り曲げ部２２は図示のように若干湾曲させ、直角に折り曲げたときにその位置を保持させるためと、固形燃料を載せる適度の保持力を持たせるためである。
【００２３】
３は帯紙材１の一端に形成された三角形の係合突起である。４は同じく帯紙材１の他端部に設けられた複数の係合溝で、帯紙材１を丸めたとき前記係合突起３に選択的に挿入され係合されるものである。
【００２４】
これらの係合突起３の幅方向寸法は係合溝４の同じく幅方向寸法より若干小寸法とされている。
【００２５】
これは係合溝４に係合突起３を挿入されたときに、両者が確実に係合し、アルミ鍋を載せた使用時も外れないようになされている。
【００２６】
５は帯紙材１の上縁部に形成した複数の切り欠きでアルミ鍋を載せたときの排気口５１になるものである。
【００２７】
図２は帯紙材１を丸め、角形の係合突起３を係合溝４に挿入係合して構成されたコンロの斜視図を示している。このとき端部の係合突起３を係合溝４に挿入するだけなので一回の作業で済み、非常に簡単であり、子供でも簡単に組み立てることができるものである。
【００２８】
尚、係合突起３と係合溝４の関係は、帯紙材１の一方端上方から半分程度まで入れた切り込み４１、他方端に下方から半分程度まで入れた切込み４２でも良い。即ち、係合あるいは係止手段の構成は種々考えられ、紙素材やアルミの厚さや硬さ、屈曲性等から任意に選択されて採用されるべきものである。
【００２９】
前期燃料支持片２は内側に直角に折り曲げられて、燃料を支持する台になる。又、折り曲げられたときに生じる穴は空気吸入口２３となる。
【００３０】
図３は内側に直角に折り曲げられた燃料支持片２に燃料の固形燃料６を載置した断面図を示している。６１は固形燃料６の点火芯を示している。固形燃料６の重さは約５０グラムであり、燃焼時間は最長で１０分ないし１５分程度である。
【００３１】
このコンロにアルミ鍋７を載せた状態を図４に示している。７１は一対の把手部７１である。
【００３２】
この状態で固形燃料に点火すると空気は空気吸入口２３から排気口５１に抜ける通路ができるので効率よく加熱調理ができる。
【００３３】
アルミ鍋に食材や汁が入っていると５００グラムを超える重さでコンロの強度が気になるところであるが、コンロは丸形であり、加重を分散する構成になっているため紙製のコンロであっても充分コンロの重さに耐えるものとなっている。
【００３４】
このように、コンロを紙製とすれば焼却処分することができ、有害物質も発生しないので環境にもやさしいものである。
【００３５】
尚、前述したコンロは紙製のものであるが、より不燃化を指向するものとしてアルミ製のものが考えられる。
【００３６】
図５はアルミ板１１で構成したものを示している。アルミ板が厚くそれ自身で充分な強度を有していればそのまま丸めてコンロを形成すればいいが、資源の節約等でアルミ板を薄くした場合は、多数の押し出し部１１を設け、強度を高めて使用するようにすると良い。
【００３７】
このように本考案によれば、端部同士の接続が一回の作業で済むことから非常に簡単であり、子供でも簡単に組み立てることができる難燃性あるいは不燃性紙、又はアルミ製の丸形簡易コンロを提供することができる。
【００３８】
又、丸形としたことから角形に比して強度が高くなりその分紙あるいはアルミの板厚を薄くすることができ、それだけ材料を節減できるものである。
【産業上の利用可能性】
【００３９】
家庭用簡易コンロとしても利用できる。
【図面の簡単な説明】
【００４０】
【図１】本考案の一実施例を示す帯紙材の展開図。
【図２】同コンロの斜面図。
【図３】同コンロの断面図。
【図４】アルミ鍋を載せた同コンロの斜面面図。
【図５】本考案の他の実施例を示すアルミ板材の展開図。
【符号の説明】
【００４１】
１‥‥帯紙材、２‥‥燃料支持片、３‥‥係合突部、４‥‥係合溝、
５‥‥切り欠き、６‥‥固形燃料、７‥‥アルミ鍋、１０‥‥アルミ板材。
【図１】
0003107505.tif 000003
【図２】
0003107505.tif 000004
【図３】
0003107505.tif 000005
【図４】
0003107505.tif 000006
【図５】
0003107505.tif 000007